(57)【要約】【課題】  下面に入り込み、更には堆積したゴミを容易に取り除くことのできる樹木保護蓋を提供する。【解決手段】  樹木の根元部分を通す穴２と、樹木の根元部分周囲への通気、通水用の多数の貫通孔とを有する保護盤１を備え、該保護盤が複数個の盤片１１〜１６に分割されてなる樹木保護蓋において、複数個の盤片のうち、隣接する一対の盤片相互を、任意の一方の盤片の、他方の盤片側とは反対側の部分を上方に引上げ自在に蝶番１７により連結する。穴２や貫通孔から下面に入り込んだゴミ１９は、そのゴミがある盤片１４のみを必要な角度だけ引き上げて取り除くことができる。下面全面に亘ってゴミがある場合でも盤片１１〜１６を順次開いて取り除ける。引き上げる際の重量は盤片１個分の重量ですむ。【選択図】        図２
2005034091.tif 000002
【特許請求の範囲】
【請求項１】
樹木の根元部分を通す穴と、前記樹木の根元部分周囲への通気、通水用の多数の貫通孔とを有する保護盤を備え、該保護盤が複数個の盤片に分割されてなる樹木保護蓋において、
前記複数個の盤片のうち、隣接する一対の盤片相互が、任意の一方の盤片の、他方の盤片側とは反対側の部分を上方に引上げ自在に蝶番により連結されたことを特徴とする樹木保護蓋。
【請求項２】
保護盤が偶数個の盤片に分割されたことを特徴とする請求項１に記載の樹木保護蓋。
【発明の詳細な説明】
【技術分野】
【０００１】
本発明は、樹木の根元部分周囲の地面を蓋するように置かれて樹木を保護する樹木保護蓋に関するものである。
【背景技術】
【０００２】
歩道や公園、広場、あるいは公共物のオープンスペース等に植栽された樹木は、日陰をつくったり、景観をよくしたり、環境を保全する等、人々に潤いと安全を与えるのに大いに役立っている。
ところで、歩道や公園等は人の通行、出入りが多く、したがって、街路樹や公園の樹木は、根元周りが踏み荒らされ、あるいは踏み固められたりして、その順調な生育が妨げられやすい。このため、特に植樹されたばかりの幼木や、植替え直後の樹木にとっては根元周りの保護が肝要となる。そこで近年、根元周りの保護が必要な植樹に際しては、樹木保護蓋が用いられるようになってきた。
この樹木保護蓋は、樹木の根元部分を通す穴を有する保護盤を備えてなり、この保護盤は複数個の盤片（分割盤、ガード盤半体、扇形片）に分割されている（例えば、特許文献１〜３参照）。分割することにより、植えられた樹木の根元部分を保護盤の穴に通せるようになる。
保護盤には、通常、樹木の根元部分周囲（樹根部分を覆う土壌）への通気、通水、あるいは日照等のために多数の貫通孔も形成されている（例えば、特許文献１及び２参照）。
【０００３】
【特許文献１】実公昭５７−３９００７号公報（第２図）
【特許文献２】実公昭５９−３７０７号公報（第１図、第２図）
【特許文献３】実公平１−２３２５７号公報（第１図）
【発明の開示】
【発明が解決しようとする課題】
【０００４】
しかしながら上記従来の樹木保護蓋では、いずれも次のような問題点があった。
すなわち、上述したように樹木保護蓋は、人の通行、出入りが多い歩道や公園等の樹木に設置されるので、その上面や近傍には煙草の吸殻等の小さなゴミが落とされ、あるいは風で吹き寄せられる。これらのゴミは、樹木保護蓋（保護盤）に形成された多数の貫通孔から保護盤下面に入り込み、堆積して地面（土面）を覆い、通気、通水の邪魔をしたり、美観を損ねたりする。貫通孔のない樹木保護蓋にあっても、小さなゴミは、分割された各盤片相互間の隙間部分から保護盤下面に入り込み、堆積して、樹木の根元部分周囲への通気、通水の邪魔をし、あるいは美観を損ねたりする。
そこで、設置後の樹木保護蓋のゴミ掃除は欠かせないが、従来の樹木保護蓋では、いずれもゴミ掃除の便宜については何ら配慮されていなかった。このため、ゴミ掃除にあたっては、保護盤下面に入り込んだゴミの位置や量に拘わらず、多くの場合、盤片を保護盤の１／２〜全面に亘って、しかも設置面上から完全に除かれるように、あるいは面倒な手順を経て開く必要があり、ゴミ掃除が極めて面倒になるという問題点があった。樹木保護蓋は、これに耐久性や耐摩耗性を与えるため、あるいは容易に持ち去ることができないようにするために、重い材料で作られることも多く、この場合には上記問題点はより顕著なものとなった。
本発明は、上記従来技術の問題点を解消するためになされたもので、保護盤下面に入り込み、更には堆積したゴミを容易に取り除くことのできる樹木保護蓋を提供することを目的とする。
【課題を解決するための手段】
【０００５】
上記目的を達成するために、請求項１に記載の発明は、樹木の根元部分を通す穴と、前記樹木の根元部分周囲への通気、通水用の多数の貫通孔とを有する保護盤を備え、該保護盤が複数個の盤片に分割されてなる樹木保護蓋において、前記複数個の盤片のうち、隣接する一対の盤片相互が、任意の一方の盤片の、他方の盤片側とは反対側の部分を上方に引上げ自在に蝶番により連結されたことを特徴とする。
請求項２に記載の発明は、請求項１に記載の発明において、保護盤が偶数個の盤片に分割されたことを特徴とする。
【発明の効果】
【０００６】
請求項１の発明によれば、隣接する一対の盤片相互を、一方の盤片の、他方の盤片側とは反対側の部分を上方に引上げ自在に蝶番により連結したので、下面に入り込み、堆積したゴミがある盤片部分のみを蝶番部分を境界に開くように引き上げるだけでそのゴミを取り除くことができる。保護盤の下面全面に亘ってゴミがある場合でも、該当する盤片を順次開いて、しかもゴミ掃除に必要な角度のみ開いてゴミを取り除いて行ってもよいので、ゴミ掃除が容易になる。重い材料で作られた樹木保護蓋であっても、容易にゴミ掃除できる。
請求項２の発明によれば、請求項１の発明による効果を、保護盤の穴周方向の全周に亘って発揮できる。すなわち、保護盤が奇数個の盤片に分割された場合には、隣接する一対の盤片相互を蝶番によって連結して行くと、２で割り切れなかった１個が単体で設置されることになる。したがって、この単体の盤片の下面にあるゴミについては、単体の盤片を片側から開くように引き上げて取り除いた後、元の位置に戻すことになるが、この際に位置ずれが生じ、元の位置に戻しにくくなりやすい。しかし、全ての盤片が対をなして連結されていれば、一方の盤片を上げ下げするときに他方の盤片が錘となって位置ずれが防がれ、元の位置に戻しやすくなる。
【発明を実施するための最良の形態】
【０００７】
以下、本発明の実施の形態を図面に基づき説明する。なお、各図間において、同一符号は同一又は相当部分を示す。
図１は本発明による樹木保護蓋の一実施形態を示す図で、（ａ）は平面図、（ｂ）は（ａ）図中のＢ−Ｂ線断面矢視図である。
この図において、１は樹木保護蓋の主構成をなす保護盤で、その外形状（平面形状）は該樹木保護蓋の設置環境に応じて任意に設定される。
この保護盤１には、樹木の根元部分を通す穴２が形成されている。この穴２は、保護盤１面に形成されるが、その位置や形状は任意に設定される。図示例では、穴２は保護盤１面の中央に円形に形成されており、保護盤１の外形状も円形に形成されている。つまり保護盤１は、ここでは全体としてリング状に形成されている。穴２の直径（リング内径：Ｄ１）は、ここに通される樹木の生育を見込んで、該樹木の現在の根元部分の直径ｄ（図示せず）に対して充分余りある寸法、例えば直径ｄの３〜４倍に設定される。植えられた樹木を支持するための支柱（図示せず）をこの穴２内に埋め込む場合には、直径Ｄ１を更に大きくする。保護盤１の外径（リング外径：Ｄ２）は、リング内径：Ｄ１が４００ｍｍのときに、例えば１２００ｍｍに設定される。
【０００８】
この保護盤１には、樹木の根元部分周囲（樹根部分を覆う土壌）への通気、通水、あるいは日照等のための多数の貫通孔３…も形成されている。図示例では、保護盤１がその中心から放射状に渡された多数のリブ材４と、それらを位置決め結合する、同心円を描く複数の環状の支持枠５とからなるので、貫通孔３は、保護盤１面の各リブ材４相互間に均等な分布でスリット状に多数形成されている。
【０００９】
更にこの保護盤１は、上記穴２の周方向に沿う方向（したがって扇形）に複数個の、ここでは６個の盤片１１〜１６に分割されている。そして、この６個の盤片１１〜１６のうち、隣接する各一対の盤片（３組の一対の盤片）１１，１２；１３，１４；１５，１６は、各々蝶番１７により連結されている。この場合、対をなす盤片１１，１２；１３，１４；１５，１６相互が、任意の一方の盤片１１（又は１２），１３（又は１４），１５（又は１６）の、他方の盤片１２（又は１１），１４（又は１３），１６（又は１５）側とは反対側の部分を上方に引上げ自在に、蝶番１７により連結されている。つまり、図２中の矢印イに示すように、各組中の各盤片１１，１２；１３，１４；１５，１６が地面（土面）１８に対して開閉自在に蝶番１７により連結されている。
したがって、保護盤１下面に入り込み、更には堆積したゴミ１９は、その位置に応じた盤片（図２の例では盤片１４）のみの開閉により、あるいは各盤片１１〜１６を順次開閉し、地面１８を露出させることによって、容易に取り除くことができる。盤片１１〜１６を開く場合も、掃除に必要な角度のみ開いてゴミ１９を取り除いて行ってもよいので、ゴミ掃除が容易になる。開いた盤片（図２の例では盤片１４）はゴミ１９を取り除いた後、元の位置に閉じられる。
また樹木保護蓋は、これに耐久性や耐摩耗性を与えるため、あるいは容易に持ち去ることができないようにするために、重い材料で作られることも多い。このような場合であっても、掃除に当たって作業員が負担する最大重量は盤片１個分の重量であり、この盤片１個分の重量の上げ下げで掃除を行いうるので作業が楽になり、ボランティア活動をする児童や老齢の作業員でも容易にゴミ掃除できる。
なお、盤片１１〜１６の開閉は、例えばその盤片１１〜１６の扇形形状の外周側端部（図２中の矢印イを付した辺り）を手でつかんで行われる。
【００１０】
一対の盤片１１，１２；１３，１４；１５，１６を連結する蝶番１７は、図示例のように１個であってもよいが、複数個、分散配設してもよく、これによれば連結はより強固なものとなる。
蝶番１７により連結されていない組（対をなす盤片１１，１２；１３，１４；１５，１６）相互間は分離されており、樹木保護蓋の設置時において、保護盤１を、その穴２内に樹木の根元部分を通して設置することが可能となる。また、樹木保護蓋の設置時や撤去時に保護盤１を対をなす盤片１１，１２；１３，１４；１５，１６毎に分離して搬送できる等、容易な取扱いが可能である。
【００１１】
なお図１に示した例では、保護盤１の外形状を円形に形成し、保護盤１を６分割した場合について述べたが、図３に例示するように、保護盤１の外形状を方形に形成し、保護盤１を４分割としてもよい。この場合は、４個の盤片１１〜１４のうち、隣接する各一対の盤片（２組の一対の盤片）１１，１２；１３，１４が各々蝶番１７により連結され、図４中の例えば矢印イに示すように各組中の任意の盤片１１又は１２，１３又は１４が開閉自在である。
したがって、図１に示した例と同様、保護盤１下面に入り込み、更には堆積したゴミ１９は、その位置に応じた盤片（図４の例では盤片１３）のみの開閉により、あるいは各盤片１１〜１４を順次開閉して、容易に取り除くことができる。
【００１２】
また、図５に例示するように、保護盤１の外形状をほぼ半円形に形成してもよい。設置したい箇所の一部に道路の縁石等の障害物があり、したがって、それを避けて設置する場合に有効である。この場合、保護盤１全体の外形状は小さくなるので、保護盤１を２分割とし、その２個の盤片１１，１２相互（１組の一対の盤片１１，１２）を蝶番１７により連結している。
図５の例では、保護盤１外周（側面）に開口する切欠き５１を備え、穴２はこの切欠き５１に連通して形成されている。したがってこの例では、植樹されている樹木は設置される樹木保護蓋の保護盤１側方から切欠き５１を通して穴２内に位置される（穴２内に樹木の根元部分が通される）。
【００１３】
図６の例では、外形状がほぼ方形で、穴２が円形をなしている点で図３の例と近似するが、保護盤１を２分割とし、その２個の盤片１１，１２相互（１組の一対の盤片１１，１２）が蝶番１７により連結されている点は図５の例と同様である。また、穴２が保護盤１外周（側面）に開口する切欠き５１に連通形成されている点も図５の例と同様であり、したがって、穴２内に樹木の根元部分を通す手順も図５の例と同様である。
なお図６中、６１は保護盤１の両側に付設された補助盤である。この補助盤６１には、保護盤１の両側に形成された半円形の切欠き６２とで、各々樹木支持用の支柱（図示せず）を通す円形の切欠き６３を形成する半円形の切欠き６４が形成されている。図示例では、各補助盤６１も２分割され、その２個の補助盤片６５，６６相互も上記盤片１１，１２と同様に、地面（土面）に対して開閉自在に蝶番６７により連結されている。各補助盤６１にも、多数の貫通孔３…が形成されている。
【００１４】
各例において、貫通孔３は、樹木の根元部分周囲への通気、通水が可能であれば、その形状や位置は任意であるが、通常は、穴２を中心としてほぼ均等に分布され、樹木の根元部分周囲（樹根部分を覆う土壌）へほぼ均等な通気、通水が行われるように設けられている（特に図１，図２参照）。
【００１５】
また、図３、図５及び図６の例においても、図１の例で述べたと同様に蝶番１７を複数個設けてもよく、これによれば連結はより強固なものとなる。
更に各例において、蝶番１７に、中心軸部分で左，右型を着脱自在とした抜差蝶番を用いてもよい。これによれば、全ての盤片１１〜１６、１１〜１４又は１１，１２が蝶番１７の中心軸部分で分離可能となり、樹木保護蓋の設置時や撤去時に保護盤１を各盤片毎に分離して搬送できる等、極めて容易な取扱いが可能になる。
【００１６】
また上記各例においては、保護盤１の分割数（盤片の個数）を偶数個としたが、奇数個であってもよい。この場合は、２で割り算した余りの１個の盤片が単体で設置されることになる。例えば、保護盤１が７個の盤片に分割された場合には、蝶番１７によって連結される３組の盤片対の他、１個の盤片が余り、この盤片が単体で設置されることになる。したがって、この単体の盤片の下面にあるゴミについては、単体の盤片を片側から開くように引き上げて取り除いた後、元の位置に戻すことになる。しかしこの際に、単体の盤片に位置ずれ等が生じ、元の位置に戻しにくくなりやすいので、保護盤１の分割数は偶数個が好ましい。偶数個に分割すれば、全ての盤片が対をなして連結させることができ、ゴミを取り除く際、つまり一方の盤片を上げ下げする際に、他方の盤片が錘となって位置ずれが防がれ、元の位置に戻しやすくなる。
なお本明細書において、「地面」には必ずしも地表面とはいえない、ビルの屋上の庭園等における土面を含む。
【図面の簡単な説明】
【００１７】
【図１】本発明による樹木保護蓋の一実施形態を示す図である。
【図２】図１中の盤片が地面に対して開閉自在であることを説明する図である。
【図３】本発明の他の実施形態（その１）を示す平面図である。
【図４】図３中の各盤片が地面に対して開閉自在であることを説明する図である。
【図５】本発明の他の実施形態（その２）を示す平面図である。
【図６】本発明の他の実施形態（その３）を示す平面図である。
【符号の説明】
【００１８】
１：保護盤、２：穴、３：貫通孔、１１〜１６：盤片、１７：蝶番
【図１】
2005034091.tif 000003
【図２】
2005034091.tif 000004
【図３】
2005034091.tif 000005
【図４】
2005034091.tif 000006
【図５】
2005034091.tif 000007
【図６】
2005034091.tif 000008